(57)【要約】【課題】  吐出圧と吸入圧との差圧に基づく吐出容量制御の精度が特許文献１の制御弁よりも高い制御弁を提供する。【解決手段】  容量可変型斜板式圧縮機の吸入室に連通する第１ポートと、吐出室に連通する第２ポートと、クランク室に連通する第３ポートと、吸入圧が加わる第１感圧部と、吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第１感圧部は第１ポートに連通する第１室に接しており、第２感圧部は第２ポートに接しており、開閉弁は第２ポートと第３ポートとに連通する第２室内に配設されている。【選択図】        図１
2005139950.tif 000002
【特許請求の範囲】
【請求項１】
容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第１感圧部は第１ポートに連通する第１室に接しており、第２感圧部は第２ポートに接しており、開閉弁は第２ポートと第３ポートとに連通する第２室内に配設されていることを特徴とする可変容量斜板式圧縮機の制御弁。
【請求項２】
制御手段はコイルと、コイルに挿通された筒状の固定鉄心と、固定鉄心の一端に対峙する可動鉄心と、可動鉄心に固定され固定鉄心に挿通されたロッドと、可動鉄心を固定鉄心から遠ざかる方向へ付勢するバネと、上記諸部材を収容するソレノイド部ケーシングとにより構成された電磁ソレノイドを有することを特徴とする請求項１に記載の可変容量斜板式圧縮機の制御弁。
【請求項３】
第１感圧部は可動鉄心の固定鉄心から離隔する側の端部により形成され、第２感圧部はロッドの可動鉄心から離隔する側の端部により形成されていることを特徴とする請求項２に記載の可変容量斜板式圧縮機の制御弁。
【請求項４】
ソレノイド部ケーシングから突出するロッドを取り囲みソレノイド部ケーシングに固定された筒状の弁部ケーシングを備え、弁部ケーシングに、ソレノイドケーシングに近接する側から順に、第１ポート、第３ポートが形成され、弁部ケーシングのソレノイド部ケーシングから離隔する側の端部が第２ポートを形成していることを特徴とする請求項２又は３に記載の可変容量斜板式圧縮機の制御弁。
【請求項５】
容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第１感圧部は第１ポートに連する第１室に接しており、第２感圧部は第２ポートに連通する第２室に接していることを特徴とする可変容量斜板式圧縮機の制御弁。
【請求項６】
制御手段はコイルと、コイルに挿通された筒状の固定鉄心と、固定鉄心の一端に対峙する可動鉄心と、可動鉄心に固定され固定鉄心に挿通されたロッドと、可動鉄心を固定鉄心から遠ざかる方向へ付勢するバネと、上記諸部材を収容するソレノイド部ケーシングとにより構成された電磁ソレノイドを有することを特徴とする請求項５に記載の可変容量斜板式圧縮機の制御弁。
【請求項７】
第１感圧部は可動鉄心の固定鉄心から離隔する側の端部により形成され、第２感圧部はロッドの可動鉄心から離隔する側の端部により形成されていることを特徴とする請求項６に記載の可変容量斜板式圧縮機の制御弁。
【請求項８】
ソレノイド部ケーシングから突出するロッドを取り囲みソレノイド部ケーシングに固定された筒状の弁部ケーシングを備え、弁部ケーシングに、ソレノイド部ケーシングに近接する側から順に、第１ポート、第２ポート、第３ポートが形成されていることを特徴とする請求項６又は７に記載の可変容量斜板式圧縮機の制御弁。
【発明の詳細な説明】
【技術分野】
【０００１】
本発明は空調装置等に使用される可変容量斜板式圧縮機の制御弁に関するものである。
【背景技術】
【０００２】
容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第２感圧部が第２ポートに接しており開閉弁を兼ねていることを特徴とする制御弁が特許文献１の図１１に開示されている。
【特許文献１】特開２００１−１５３０４２
【発明の開示】
【発明が解決しようとする課題】
【０００３】
特許文献１の制御弁には、第２ポートに接する第２感圧部が第２ポートと第３ポートとの連通部を開閉する開閉弁を兼ねている故に、開閉弁の開閉に伴って第２感圧部の受圧面積が変化するので、吐出圧と吸入圧との差圧に基づく吐出容量制御の精度が低いという問題がある。
本発明は上記問題に鑑みてなされたものであり、容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、吐出圧と吸入圧との差圧に基づく吐出容量制御の精度が特許文献１の制御弁よりも高い制御弁を提供することを目的とする。
【課題を解決するための手段】
【０００４】
上記課題を解決するために、本発明においては、容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第１感圧部は第１ポートに連通する第１室に接しており、第２感圧部は第２ポートに接しており、開閉弁は第２ポートと第３ポートとに連通する第２室内に配設されていることを特徴とする可変容量斜板式圧縮機の制御弁を提供する。
本発明に係る制御弁においては、第２感圧部は第２ポートに接しており、開閉弁は第２ポートと第３ポートとに連通する第２室内に配設されているので、開閉弁が開閉しても第２感圧部の受圧面積は変化しない。従って、本発明に係る制御弁は、吐出圧と吸入圧との差圧に基づく吐出容量制御の精度が特許文献１の制御弁よりも高い。
【０００５】
本発明の好ましい態様においては、制御手段はコイルと、コイルに挿通された筒状の固定鉄心と、固定鉄心の一端に対峙する可動鉄心と、可動鉄心に固定され固定鉄心に挿通されたロッドと、可動鉄心を固定鉄心から遠ざかる方向へ付勢するバネと、上記諸部材を収容するソレノイド部ケーシングとにより構成された電磁ソレノイドを有する。
コイルに供給する電力を制御することにより、ロッドに印加する電磁力を正確に制御できるので、電磁ソレノイドは制御手段として好適である。
【０００６】
本発明の好ましい態様においては、第１感圧部は可動鉄心の固定鉄心から離隔する側の端部により形成され、第２感圧部はロッドの可動鉄心から離隔する側の端部により形成されていることを特徴とする請求項２に記載可変容量斜板式圧縮機の制御弁。
電磁ソレノイドの電磁力と、吐出圧の付勢力と、吸入圧の付勢力とがロッドに直接印加されるので、制御弁の構造が単純化される。
【０００７】
本発明の好ましい態様においては、制御弁は、ソレノイド部ケーシングから突出するロッドを取り囲みソレノイド部ケーシングに固定された筒状の弁部ケーシングを備え、弁部ケーシングに、ソレノイド部ケーシングに近接する側から順に、第１ポート、第３ポートが形成され、弁部ケーシングのソレノイド部ケーシングから離隔する側の端部が第２ポートを形成している。
上記ポート配列を有する本発明に係る制御弁は、同一ポート配列を有する特許文献１の制御弁と容易に交換が可能である。
【０００８】
本発明においては、容量可変型斜板式圧縮機の吸入室に連通する第１ポートと、吐出室に連通する第２ポートと、クランク室に連通する第３ポートと、容量可変型斜板式圧縮機の吸入圧が加わる第１感圧部と、容量可変型斜板式圧縮機の吐出圧が加わる第２感圧部と、第２ポートと第３ポートとの連通部を開閉する開閉弁と、第２感圧部に加わる吐出圧と第１感圧部に加わる吸入圧との差圧が所定値になるように開閉弁を開閉制御する制御手段とを備える可変容量斜板式圧縮機の制御弁であって、第１感圧部は第１ポートに連する第１室に接し、第２感圧部は第２ポートに連する第２室に接していることを特徴とする可変容量斜板式圧縮機の制御弁を提供する。
本発明に係る制御弁においては、第２感圧部は第２ポートに連通する第２室に接しており、開閉弁は第２ポートと第３ポートとの連通部に配設されているので、開閉弁が開閉しても第２感圧部の受圧面積は変化しない。従って、本発明に係る制御弁は、吐出圧と吸入圧との差圧に基づく吐出容量制御の精度が特許文献１の制御弁よりも高い。
【０００９】
本発明の好ましい態様においては、制御弁は、ソレノイド部ケーシングから突出するロッドを取り囲みソレノイド部ケーシングに固定された筒状の弁部ケーシングを備え、弁部ケーシングに、ソレノイド部ケーシングに近接する側から順に、第１ポート、第２ポート、第３ポートが形成されている。
上記ポート配列を有する本発明に係る制御弁は、同一ポート配列を有する特開２００１−３４９２７８の制御弁と容易に交換して、制御パラメータを吸入圧から吐出圧と吸入圧との差圧に容易に変更することができる。
【発明の効果】
【００１０】
本発明に係る制御弁においては、第２感圧部は第２ポートに接しており、開閉弁は第２ポートと第３ポートとに連通する第２室内に配設されているので、開閉弁が開閉しても第２感圧部の受圧面積は変化しない。従って、本発明に係る制御弁は、吐出圧と吸入圧との差圧に基づく吐出容量制御の精度が特許文献１の制御弁よりも高い。
【発明を実施するための最良の形態】
【００１１】
本発明の実施例に係る可変容量斜板式圧縮機の制御弁を説明する。
【実施例１】
【００１２】
図１に示すように、可変容量斜板式圧縮機の制御弁Ａは、コイル１と、コイル１に挿通された筒状の固定鉄心２と、固定鉄心２の一端に対峙して配設された可動鉄心３と、可動鉄心３に固定され固定鉄心２に挿通されたロッド４と、可動鉄心３を固定鉄心２から遠ざかる方向へ付勢するバネ５と、前記諸部材を収容するソレノイド部ケーシング６とにより構成された電磁ソレノイド７を備えている。
【００１３】
ロッド４は、ケーシング６から僅かに突出する位置で、螺合により継ぎ足されて延長されている。ケーシング６から突出するロッド４を取り囲んで、筒状の弁部ケーシング８が配設されケーシング６に固定されている。ケーシング８の内部空間は、ケーシング６に近接する側から順に、大径室９、中径室１０、小径室１１、大径室１２を形成している。
大径室９の周壁に圧縮機の吸入室に連通する複数のポート１３が形成されている。大径室９は、ロッド４と固定鉄心２との間の環状隙間と、可動鉄心３とコイル１との間の環状隙間とを介して、可動鉄心３の固定鉄心２から離隔する側の端部とケーシング６の端壁との間に形成された室１４に連通している。可動鉄心３の固定鉄心２から離隔する側の端部は室１４に接する感圧部１５を形成している。大径室９は、中径室１０の大径室９に隣接する端部に圧入された栓１６によって、中径室１０から仕切られている。
中径室１０は、ケーシング８の周壁に形成された吐出ガス導入穴１７を介して大径室１２に連通している。
小径室１１の周壁に圧縮機のクランク室に連通する複数のポート１８が形成されている。
大径室１２は、圧縮機の吐出室に連通するポート１９を形成している。
【００１４】
ロッド４は、栓１６を摺動可能に貫通して小径室１１まで延びている。ロッド４の中径室１０内で延在する部位に、中径室１０と小径室１１との連通部、ひいてはポート１９とポート１８との連通部を開閉する弁２０が形成されている。ロッド４の小径室１１内で延在する部位は、弁２０に隣接し小径室１１の周壁との間に環状隙間を形成する小径部４ａと、大径室１２に隣接し小径室１１に摺動可能に嵌合する大径部４ｂとを形成している。大径部４ｂの大径室１２側の端部はポート１９に接する感圧部２１を形成している。
電磁ソレノイド７を駆動する図示しない駆動装置が配設されている。当該駆動装置と電磁ソレノイド７とにより、制御弁Ａの制御装置が構成されている。
【００１５】
上記構成を有する本実施例に係る制御弁Ａの作動を説明する。
図示しない駆動装置からコイル７に所定電力が供給される。コイル７に発生した電磁力は、弁２０を閉じる方向の付勢力Ｆ１をロッド４に印加する。感圧部１５に加わる可変容量斜板式圧縮機の吸入圧は、弁２０を閉じる方向の付勢力Ｆ２をロッド４に印加する。バネ５は弁２０を開く方向の付勢力Ｆ３をロッド４に印加する。感圧部２１に加わる可変容量斜板式圧縮機の吐出圧は、弁２０を開く方向の付勢力Ｆ４をロッド４に印加する。
Ｆ３＋Ｆ４＞Ｆ１＋Ｆ２であると、すなわちＦ４−Ｆ２＞Ｆ１−Ｆ３であると開閉弁２０が開き、可変容量斜板式圧縮機の吐出ガスが、ポート１９と、吐出ガス導入穴１７と、室１０と、ロッドの小径部４ａと小径室１１周壁との間に形成された環状隙間と、ポート１８とを通って、可変容量斜板式圧縮機のクランク室へ流入する。この結果クランク室の内圧が上昇し、斜板の傾角が減少し、可変容量斜板式圧縮機の吐出容量が減少し、吐出圧が低下する。
Ｆ３＋Ｆ４＜Ｆ１＋Ｆ２であると、すなわちＦ４−Ｆ２＜Ｆ１−Ｆ３であると開閉弁２０が閉じ、可変容量斜板式圧縮機の吐出ガスのクランク室への導入が停止する。クランク室内のガスはオリフィスを介して吸入室へ流出するのでクランク室の内圧が低下し、斜板の傾角が増加し、可変容量斜板式圧縮機の吐出容量が増加し、吐出圧が増加する。
吐出圧が増加してＦ４が増加し、Ｆ４−Ｆ２＞Ｆ１−Ｆ３になると開閉弁２０が開く。
開閉弁２０の開閉が自律的に繰り返されて、Ｆ４−Ｆ２が自律的にＦ１−Ｆ３に漸近し、ひいては吐出圧と吸入圧の差圧が自立的に所定値に漸近し、可変容量斜板式圧縮機の吐出容量が自律的に所定値に漸近する。
バネ５のバネ定数を小さく設定し且つ容量制御時のロッド４のストロークを小さく設定すれば、容量制御時に付勢力Ｆ３を略一定値にすることができる。従って、電磁ソレノイド７に印加する電力量を可変制御してＦ１を可変制御することにより、可変容量斜板式圧縮機の吐出容量を可変制御することができる。
【００１６】
制御弁Ａにおいては、感圧部２１はポート１９に接しており、開閉弁２０はポート１９とポート１８とに連通する中径室１０内に配設されているので、開閉弁２０が開閉しても感圧部２１の受圧面積は変化しない。従って、制御弁Ａは、吐出圧と吸入圧との差圧に基づく吐出容量制御の精度が特許文献１の制御弁よりも高い。
【００１７】
コイル７に供給する電力を制御することにより、ロッド４に印加する弁２０を閉じる方向の付勢力Ｆ１を正確に制御できるので、電磁ソレノイド７は制御弁Ａの制御手段として好適である。
【００１８】
感圧部１５は可動鉄心３の固定鉄心２から離隔する側の端部により形成され、感圧部２１はロッド４の可動鉄心３から離隔する側の端部により形成されているので、電磁ソレノイド７の電磁力Ｆ１と、吸入圧の付勢力Ｆ２と、吐出圧の付勢力Ｆ４とがロッド４に直接印加される。この結果、複雑な伝達機構を介して吸入圧の付勢力、吐出圧の付勢力をロッド４に印加する場合に比べて、制御弁Ａの構造が単純化される。
【００１９】
弁部ケーシング８に、ソレノイド部ケーシング６に近接する側から順に、吸入室に連通するポート１３、クランク室に連通するポート１８が形成され、弁部ケーシング８のソレノイド部ケーシング６から離隔する側の端部が吐出室に連通するポート１９を形成しているので、制御弁Ａは、同一ポート配列を有する特許文献１の制御弁と容易に交換が可能である。
【実施例２】
【００２０】
図２に示すように、可変容量斜板式圧縮機の制御弁Ｂは、コイル１０１と、コイル１０１に挿通された筒状の固定鉄心１０２と、固定鉄心１０２の一端に対峙して配設された可動鉄心１０３と、可動鉄心１０３に固定され固定鉄心１０２に挿通されたロッド１０４と、可動鉄心１０３を固定鉄心１０２から遠ざかる方向へ付勢するバネ１０５と、前記諸部材を収容するソレノイド部ケーシング１０６とにより構成された電磁ソレノイド１０７を備えている。
【００２１】
ロッド１０４は、ケーシング１０６から僅かに突出する位置で、螺合により継ぎ足されて延長されている。ケーシング１０６から突出するロッド１０４を取り囲んで、筒状の弁部ケーシング１０８が配設されソレノイド部ケーシング１０６に固定されている。ケーシング１０８の内部空間は、ケーシング１０６に近接する側から順に、大径室１０９、中径室１１０、小径室１１１、大径室１１２を形成している。大径室１１２の小径室１１１から離隔する側の端部は閉鎖されている。
大径室１０９の周壁に、圧縮機の吸入室に連通する複数のポート１１３が形成されている。大径室１０９は、ロッド１０４と固定鉄心１０２との間の環状隙間と、可動鉄心１０３とコイル１０１との間の環状隙間とを介して、可動鉄心１０３の固定鉄心１０２から離隔する側の端部とケーシング１０６の端壁との間に形成された室１１４に連通している。可動鉄心１０３の固定鉄心１０２から離隔する側の端部は室１１４に接する感圧部１１５を形成している。大径室１０９は、中径室１１０の大径室１０９に隣接する端部に圧入された栓１１６によって、中径室１１０から仕切られている。
中径室１１０の周壁に圧縮機の吐出室に連通する複数のポート１１８が形成されている。中径室１１０は、ケーシング１０８の周壁に形成された吐出ガス導入穴１１７を介して大径室１１２に連通している。
小径室１１１の周壁に、圧縮機のクランク室に連するポート１１９が形成されている。
【００２２】
ロッド１０４は、栓１１６を摺動可能に貫通して小径室１１１まで延びている。ロッド１０４の中径室１１０内で延在する部位に、中径室１１０と小径室１１１との連通部、ひいてはポート１１０とポート１１９との連通部を開閉する弁１２０が形成されている。ロッド１０４の小径室１１１内で延在する部位は、弁１２０に隣接し小径室１１１の周壁との間に環状隙間を形成する小径部１０４ａと、大径室１１２に隣接し小径室１１１に摺動可能に嵌合する大径部１０４ｂとを形成している。大径部１０４ｂの大径室１１２側の端部は大径室１１２に接する感圧部１２１を形成している。
電磁ソレノイド１０７を駆動する図示しない駆動装置が配設されている。当該駆動装置と電磁ソレノイド１０７とにより、制御弁Ｂの制御装置が構成されている。
【００２３】
上記構成を有する本実施例に係る制御弁Ｂの作動を説明する。
図示しない駆動装置からコイル１０７に所定電力が供給される。コイル１０７に発生した電磁力は、弁１２０を閉じる方向の付勢力Ｆ１をロッド１０４に印加する。感圧部１１５に加わる可変容量斜板式圧縮機の吸入圧は、弁１２０を閉じる方向の付勢力Ｆ２をロッド１０４に印加する。バネ１０５は弁１２０を開く方向の付勢力Ｆ３をロッド１０４に印加する。感圧部１２１に加わる可変容量斜板式圧縮機の吐出圧は、弁１２０を開く方向の付勢力Ｆ４をロッド１０４に印加する。
Ｆ３＋Ｆ４＞Ｆ１＋Ｆ２であると、すなわちＦ４−Ｆ２＞Ｆ１−Ｆ３であると弁１２０が開き、可変容量斜板式圧縮機の吐出ガスが、ポート１１８と、中径室１１０と、ロッドの小径部１０４ａと小径室１１１周壁との間に形成された環状隙間と、ポート１１９とを通って、可変容量斜板式圧縮機のクランク室へ流入する。この結果クランク室の内圧が上昇し、斜板の傾角が減少し、可変容量斜板式圧縮機の吐出容量が減少し、吐出圧が低下する。
Ｆ３＋Ｆ４＜Ｆ１＋Ｆ２であると、すなわちＦ４−Ｆ２＜Ｆ１−Ｆ３であると開閉弁１２０が閉じ、可変容量斜板式圧縮機の吐出ガスのクランク室への導入が停止する。クランク室内のガスはオリフィスを介して吸入室へ流出するのでクランク室の内圧が低下し、斜板の傾角が増加し、可変容量斜板式圧縮機の吐出容量が増加し、吐出圧が増加する。
吐出圧が増加してＦ４が増加し、Ｆ４−Ｆ２＞Ｆ１−Ｆ３になると開閉弁２０が開く。
開閉弁１２０の開閉が自律的に繰り返されて、Ｆ４とＦ２の差が自律的にＦ１−Ｆ３に漸近し、ひいては吐出圧と吸入圧の差圧が自立的に所定値に漸近し、可変容量斜板式圧縮機の吐出容量が自律的に所定値に漸近する。
バネ１０５のバネ定数を小さく設定し且つ容量制御時のロッド１０４のストロークを小さく設定すれば、容量制御時に付勢力Ｆ３を略一定値にすることができる。従って、電磁ソレノイド１０７に印加する電力量を可変制御してＦ１を可変制御することにより、可変容量斜板式圧縮機の吐出容量を可変制御することができる。
【００２４】
制御弁Ｂにおいては、感圧部１２１は大径室１１２に接しており、開閉弁１２０は中径室１１０内に配設されているので、開閉弁１２０が開閉しても感圧部１２１の受圧面積は変化しない。従って、制御弁Ｂは、吐出圧と吸入圧との差圧に基づく吐出容量制御の精度が特許文献１の制御弁よりも高い。
【００２５】
コイル１０７に供給する電力を制御することにより、ロッド１０４に印加する弁１２０を閉じる方向の付勢力Ｆ１を正確に制御できるので、電磁ソレノイド１０７は制御弁Ａの制御手段として好適である。
【００２６】
感圧部１１５は可動鉄心１０３の固定鉄心１０２から離隔する側の端部により形成され、感圧部１２１はロッド１０４の可動鉄心１０３から離隔する側の端部により形成されているので、電磁ソレノイド１０７の電磁力Ｆ１と、吐出圧の付勢力Ｆ４と、吸入圧の付勢力Ｆ２とがロッド１０４に直接印加される。この結果、複雑な伝達機構を介して吐出圧の付勢力、吸入圧の付勢力をロッド１０４に印加する場合に比べて、制御弁Ｂの構造が単純化される。
【００２７】
弁部ケーシング１０８に、ソレノイド部ケーシング１０６に近接する側から順に、吸入室に連通するポート１１３、吐出室に連通するポート１１８、クランク室に連通するポート１１９が形成されているので、制御弁Ｂは、同一ポート配列を有する特開２００１−３４９２７８の制御弁と容易に交換して、制御パラメータを吸入圧から吐出圧と吸入圧との差圧に容易に変更することができる。
【産業上の利用可能性】
【００２８】
本発明は可変容量斜板式圧縮機の制御弁に広く利用可能である。
【図面の簡単な説明】
【００２９】
【図１】本発明の第１実施例に係る可変容量斜板式圧縮機の制御弁の断面図である。
【図２】本発明の第２実施例に係る可変容量斜板式圧縮機の制御弁の断面図である。
【符号の説明】
【００３０】
Ａ、Ｂ  可変容量斜板式圧縮機の制御弁
３、１０３  可動鉄心
４、１０４  ロッド
５、１０５  バネ
７、１０７  電磁ソレノイド
８、１０８  弁部ケーシング
９、１０９  大径室
１０、１１０  中径室
１１、１１１  小径室
１２、１１２  大径室
１３、１８、１９、１１３、１１８、１１９  ポート
１５、１１５、２１、１２１  感圧部
１７、１１７  吐出ガス導入穴
【図１】
2005139950.tif 000003
【図２】
2005139950.tif 000004